【手続補正書】
【提出日】平成19年11月28日(2007.11.28)
【手続補正１】
【補正対象書類名】明細書
【補正対象項目名】特許請求の範囲
【補正方法】変更
【補正の内容】
【特許請求の範囲】
【請求項１】  マルチメディアネットワークを介して、受信側クライアントに関する情報を含むメッセージを送信側クライアントから該受信側クライアントに伝送するメッセージ伝送システムにおいて、
少なくとも１つの伝送媒体を介して上記メッセージを受信及び／又は送信する複数のメッセージゲートウェイと、
上記メッセージゲートウェイに接続され、クライアントデータベースを有するメッセージ仲介装置とを備え、
上記複数のメッセージゲートウェイのうちの第１のメッセージゲートウェイは、上記送信側クライアントからメッセージを受信すると、該メッセージを第１の伝送媒体を介して上記メッセージ仲介装置に送信し、
上記メッセージ仲介装置は、上記クライアントデータベースのコンテンツ及び上記受信側クライアントに関する情報に基づいて適切な第２の伝送媒体を自動的に選択し、
上記複数のメッセージゲートウェイのうちの第２のメッセージゲートウェイは、上記メッセージ仲介装置により選択された上記第２の伝送媒体を介して上記受信側クライアントに上記メッセージを送信する手段を備え、
上記メッセージは、セキュアな読出回数と、該メッセージの最大読出回数を制限する最大読出回数を含むことを特徴とするメッセージ伝送システム。
【請求項２】  上記メッセージ仲介装置とメッセージゲートウェイ間の通信においては、共通の内部メッセージフォーマットを使用することを特徴とする請求項１記載のメッセージ伝送システム。
【請求項３】  上記メッセージゲートウェイは、上記ネットワーク内に分散されていることを特徴とする請求項１又は２記載のメッセージ伝送システム。
【請求項４】  上記伝送媒体は、アナログ伝送媒体とデジタル伝送媒体を含むことを特徴とする請求項１乃至３いずれか１項記載のメッセージ伝送システム。
【請求項５】  上記第１のメッセージゲートウェイと第２のメッセージゲートウェイの間に、伝送されるメッセージのコンテンツに更なる処理を施す少なくとも１つのメッセージ処理装置を備える請求項１乃至４いずれか１項記載のメッセージ伝送システム。
【請求項６】  上記クライアントデータベースは、上記受信側クライアントのアドレス、好み、及び／又は上記受信側クライアントに対応する伝送ネットワークの特性に関する情報を有することを特徴とする請求項１乃至５いずれか１項記載のメッセージ伝送システム。
【請求項７】  上記メッセージ仲介装置は、更なる処理制御及び／又はセキュリティ保護処理を行うことを特徴とする請求項１乃至６いずれか１項記載のメッセージ伝送システム。
【請求項８】  上記メッセージ仲介装置は、料金計算及び／又は請求処理を行うことを特徴とする請求項１乃至７いずれか１項記載のメッセージ伝送システム。
【請求項９】  複数のメッセージ仲介装置を備え、少なくとも１つのメッセージ仲介装置は、容量の小さいクライアントデータベースに接続されていることを特徴とする請求項１乃至８いずれか１項記載のメッセージ伝送システム。
【請求項１０】  分散マルチメディアシステム内に設けられ、クライアントデータベースに接続され、受信側クライアントと該クライアントデータベースのコンテンツに基づいて、送信側クライアントから送信されてきたメッセージを該受信側クライアントに送信するための適切な伝送媒体を複数の伝送媒体から自律的に選択し、
上記メッセージは、セキュアな読出回数と、該メッセージの最大読出回数を制限する最大読出回数を含むことを特徴とするメッセージ仲介装置。
【請求項１１】  上記伝送媒体の選択は、宛先のネットワーク、メッセージの種類、及び／又は上記クライアントデータベースに格納されたクライアントの好みに基づいて実行されることを特徴とする請求項１０記載のメッセージ仲介装置。
【請求項１２】  マルチメディアネットワークを介して、受信側クライアントに関する情報を含むメッセージを送信側クライアントから該受信側クライアントに伝送するメッセージ伝送方法において、
第１の伝送媒体を介して上記メッセージを上記送信側クライアントからメッセージ仲介装置に送信するステップと、
上記第１の伝送媒体と異なる又は同じ第２の伝送媒体を介して、上記メッセージを上記メッセージ仲介装置から上記受信側クライアントに送信するステップとを有し、
上記メッセージ仲介装置は、該メッセージ仲介装置に接続されたクライアントデータベースのコンテンツと、上記受信側クライアントに関する情報に基づいて、複数の伝送媒体から適切な第２の伝送媒体を選択し、
上記メッセージは、セキュアな読出回数と、該メッセージの最大読出回数を制限する最大読出回数を含むことを特徴とするメッセージ伝送方法。
【請求項１３】  上記送信側クライアントから上記受信側クライアントへのメッセージの伝送は、略実時間で実行されることを特徴とする請求項１２記載のメッセージ伝送方法。
【請求項１４】  上記第１の伝送媒体から上記第２の伝送媒体への変換は、宛先のネットワーク、メッセージの種類、及び／又は上記クライアントデータベースに格納されているクライアントの好みに基づいて実行されることを特徴とする請求項１２又は１３記載のメッセージ伝送方法。
【請求項１５】  上記受信側クライアントにメッセージを送信するステップの前に、該メッセージのコンテンツに対し、デジタル署名、暗号化、ウォーターマークの付加、及び／又は言語翻訳の処理を行うステップを有することを特徴とする請求項１２乃至１４いずれか１項記載のメッセージ伝送方法。
【請求項１６】  上記メッセージは存続期間を表す属性を有し、該メッセージは、該存続期間の期間内においてのみ伝送されることを特徴とする請求項１２乃至１５いずれか１項記載のメッセージ伝送方法。
【請求項１７】  コンピュータにロードされて、該コンピュータに請求項１２乃至１６いずれか１項記載のメッセージ伝送方法を実行させるためのソフトウェアプログラム。
【手続補正２】
【補正対象書類名】明細書
【補正対象項目名】０００７
【補正方法】変更
【補正の内容】
【０００７】
【課題を解決するための手段】
上述の目的を達成するために、本発明に係るメッセージ伝送システムは、マルチメディアネットワークを介して、受信側クライアントに関する情報を含むメッセージを送信側クライアントから受信側クライアントに伝送するメッセージ伝送システムにおいて、少なくとも１つの伝送媒体を介してメッセージを受信及び／又は送信する複数のメッセージゲートウェイと、メッセージゲートウェイに接続され、クライアントデータベースを有するメッセージ仲介装置とを備える。複数のメッセージゲートウェイのうちの第１のメッセージゲートウェイは、送信側クライアントからメッセージを受信すると、メッセージを第１の伝送媒体を介してメッセージ仲介装置に送信し、メッセージ仲介装置は、クライアントデータベースのコンテンツ及び受信側クライアントに関する情報に基づいて適切な第２の伝送媒体を自動的に選択し、複数のメッセージゲートウェイのうちの第２のメッセージゲートウェイは、メッセージ仲介装置により選択された第２の伝送媒体を介して受信側クライアントにメッセージを送信する手段を備え、メッセージは、セキュアな読出回数と、メッセージの最大読出回数を制限する最大読出回数を含む。
【手続補正３】
【補正対象書類名】明細書
【補正対象項目名】００１２
【補正方法】変更
【補正の内容】
【００１２】
第１のメッセージゲートウェイ及び第２のメッセージゲートウェイの間に、伝送されるメッセージのコンテンツに更なる処理を施す少なくとも１つのメッセージ処理装置を設けてもよい。
【手続補正４】
【補正対象書類名】明細書
【補正対象項目名】００１４
【補正方法】変更
【補正の内容】
【００１４】
メッセージ仲介装置は、更なる処理制御及び／又はセキュリティ保護処理を行ってもよい。
【手続補正５】
【補正対象書類名】明細書
【補正対象項目名】００１５
【補正方法】変更
【補正の内容】
【００１５】
メッセージ仲介装置は、料金計算及び／又は請求処理を行ってもよい。
【手続補正６】
【補正対象書類名】明細書
【補正対象項目名】００１８
【補正方法】変更
【補正の内容】
【００１８】
また、上述の目的を達成するために、本発明に係るメッセージ仲介装置は、分散マルチメディアシステム内に設けられ、クライアントデータベースに接続され、受信側クライアント情報とクライアントデータベースのコンテンツに基づいて、送信側クライアントから送信されてきたメッセージを受信側クライアントに送信するための適切な伝送媒体を複数の伝送媒体から自律的に選択し、メッセージは、セキュアな読出回数と、メッセージの最大読出回数を制限する最大読出回数を含む。
【手続補正７】
【補正対象書類名】明細書
【補正対象項目名】００２０
【補正方法】変更
【補正の内容】
【００２０】
また、上述の目的を達成するために、本発明に係るメッセージ伝送方法は、マルチメディアネットワークを介して、受信側クライアントに関する情報を含むメッセージを送信側クライアントから受信側クライアントに伝送するメッセージ伝送方法において、第１の伝送媒体を介してメッセージを送信側クライアントからメッセージ仲介装置に送信するステップと、第１の伝送媒体と異なる又は同じ第２の伝送媒体を介して、メッセージをメッセージ仲介装置から受信側クライアントに送信するステップとを有し、メッセージ仲介装置は、メッセージ仲介装置に接続されたクライアントデータベースのコンテンツと、受信側クライアントに関する情報に基づいて、複数の伝送媒体から適切な第２の伝送媒体を選択
し、メッセージは、セキュアな読出回数と、メッセージの最大読出回数を制限する最大読出回数を含む。
【手続補正８】
【補正対象書類名】明細書
【補正対象項目名】００２５
【補正方法】変更
【補正の内容】
【００２５】
また、上述の目的を達成するために、本発明に係るソフトウェアプログラムは、コンピュータにロードされて、コンピュータに上述したメッセージ伝送方法を実行させる。